(57)【要約】【課題】  本発明は、使用者がトイレットペーパーホルダーなどのペーパーホルダーに触れることなくペーパーを引き出して切断することができ、且つ、ペーパーの切取線で切断し、切断すると同時に次に使用するペーパーの掴み代を形成するロールペーパー切断器を提供する。【解決手段】  切断補助板と横板で構成し、切断補助板の左右に横板を取り付けた簡素な構造である。ベース又は壁に取り付けたペーパーホルダーの下方に取り付けて使用する。使用者が待機位置にあるペーパーの取出部の任意の位置を掴持してペーパーを引っ張り切断補助板の裏面と下面に張り付けて、切断補助板の下端で折り返し、切断補助板の下部前端に押し当てながら引っ張って取出部にある切取線でペーパーを切断することを特徴とするロールペーパー切断器。【選択図】図１
2020168339.tif 000002
【特許請求の範囲】
【請求項１】
切断補助板と横板があって、切断補助板の左右に横板を取り付けて組み立てたロールペーパー切断器であって、ベース又は壁に取り付けたペーパーホルダーの下方に取り付け、
１．待機位置にあるペーパーの取出部の任意の位置を使用者が掴持して引っ張り、ペーパーを切断補助板の裏面と下面に張り付けて、さらに、
２．ペーパーを切断補助板の下端で折り返し切断補助板の下部後端と下部前端で屈曲して、
３．切断補助板の下部前端に押し当てながら手前に引き上げてペーパーを固定して、取出部にある切取線あるいは引っ張りに対して弱い部分で切断することを特徴とするロールペーパー切断器。
【請求項２】
切断補助板と横板があって、切断補助板の左右に横板を取り付けて組み立てたロールペーパー切断器であって、ベース又は壁に取り付けたペーパーホルダーの下方に取り付け、
１．待機位置にあるペーパーの取出部の任意の位置を使用者が掴持して引っ張り、ペーパーを切断補助板の裏面と下面に張り付けて、さらに、
２．ペーパーを切断補助板の下端で折り返し切断補助板の下部後端と下部前端で屈曲して、
３．切断補助板の下部前端に押し当てながら手前に引き上げてペーパーを固定して、取出部にある切取線あるいは引っ張りに対して弱い部分で切断すると、
４．垂れ下がって残る部分が次にペーパーを引き出す取出し部として使用可能となることを特徴とするロールペーパー切断器。
【請求項３】
切断補助板と横板と背板で構成するロールペーパー切断器であって、切断補助板の左右に横板を取り付けて、横板を取り付けた切断補助板を背板に取り付けて組み立てた請求項１又は請求項２に記載のロールペーパー切断器。
【請求項４】
切断補助板と横板と背板とホルダーで構成するロールペーパー切断器であって、横板はホルダーと背板が一体で、切断補助板の左右に横板を取り付けて組み立てたホルダーカバーを取付可能な請求項１又は請求項２に記載のロールペーパー切断器。
【請求項５】
切断補助板と横板と背板とホルダーで構成するロールペーパー切断器であって、切断補助板は横板とホルダーと背板が一体で、ホルダーカバーを取付可能な請求項１又は請求項２に記載のロールペーパー切断器。
【請求項６】
切断補助板と横板と背板で構成するロールペーパー切断器であって、背板はペーパーホルダーを取り付け可能で切断補助板の左右に横板を取り付けて、横板を取り付けた切断補助板を背板に取り付けて組み立てたペーパーホルダーを取り付け可能な請求項１又は請求項２に記載のロールペーパー切断器。
【請求項７】
切断補助板と横板と背板で構成するロールペーパー切断器であって、背板は掴持補助空間部を有し、切断補助板の左右に横板を取り付けて、横板を取り付けた切断補助板を背板に取り付けて組み立てたペーパーホルダーを取り付け可能な請求項１又は請求項２に記載のロールペーパー切断器。
【請求項８】
切断補助板と横板と背板で構成するロールペーパー切断器であって、
１．軸受部を有する横板とフックを有する横板があって、
２．背板と回転軸を有する切断補助板があって、
３．背板に軸受部を有する横板とフックを有する横板を取り付けて、
４．軸受部を有する横板の軸受部に切断補助板の回転軸を取り付けてフックを有する横板のフックに切断補助板の下端を引掛けて、
５．切断補助板を背板に回転可能に取り付けて組み立てた
切断補助板を回転して誘導制御部を開閉可能であることを特徴とする請求項１又は請求項２に記載のロールペーパー切断器。
【請求項９】
切断補助板と横板と背板で構成するロールペーパー切断器であって、
１．横板と一体で回転軸と凹部を有する切断補助板と、
２．横板と一体で軸受部と凸部を有する背板があって、
３．切断補助板の回転軸を背板の軸受部に取り付けて、
４．切断補助板の凹部と背板の凸部を嵌合して組み立てた
切断補助板を回転して誘導制御部を開閉可能であることを特徴とする請求項１又は請求項２に記載のロールペーパー切断器。
【請求項１０】
少なくとも２枚の切断補助板と左右の横板と背板があって、２枚の切断補助板を上下に位置して左右の横板に架け渡して取り付けて組み立てたロールペーパー切断器であって、ベース又は壁に取り付けたペーパーホルダーの下方に取り付け、
１．待機位置にあるペーパーの取出部の任意の位置を使用者が掴持して引っ張り、
ペーパーを横板の上部に位置する切断補助板の裏面と横板の下部に位置する切断補助板の裏面と下面に張り付けて、さらに、
２．ペーパーを横板の下部に位置する切断補助板の下端で折り返し、ペーパーを横板の下部に位置する切断補助板の下部後端と下部前端で屈曲して、
３．切断補助板の下部前端に押し当てながら手前に引き上げてペーパーを固定して、取出部にある切取線あるいは引っ張りに対して弱い部分で切断することを特徴とするロールペーパー切断器。
【請求項１１】
少なくとも２枚の切断補助板と左右の横板と背板があって、２枚の切断補助板を上下に位置して左右の横板に架け渡して取り付けて組み立てたロールペーパー切断器であって、ベース又は壁に取り付けたペーパーホルダーの下方に取り付け、
１．待機位置にあるペーパーの取出部の任意の位置を使用者が掴持して引っ張り、
ペーパーを横板の上部に位置する切断補助板の裏面と横板の下部に位置する切断補助板の裏面と下面に張り付けて、さらに、
２．ペーパーを横板の下部に位置する切断補助板の下端で折り返し、ペーパーを横板の下部に位置する切断補助板の下部後端と下部前端で屈曲して、
３．切断補助板の下部前端に押し当てながら手前に引き上げてペーパーを固定して、取出部にある切取線あるいは引っ張りに対して弱い部分で切断して、
４．垂れ下がって残る部分を次にペーパーを引き出す取出し部として使用可能とすることを特徴とするロールペーパー切断器。
【発明の詳細な説明】
【技術分野】
【０００１】  本発明は、使用者がトイレットペーパーホルダーなどのペーパーホルダーに触れることなくペーパーを引き出して切断することができ、且つ、ペーパーの切取線で切断し、切断すると同時に次に使用するペーパーの掴み代を形成するロールペーパー切断器に関するものである。
【背景技術】
【０００２】  一般に使用されているペーパーホルダーとペーパーを切断する仕組み。
（１）一般に使用されているペーパーホルダーで、例えばトイレットペーパーホルダーは、トイレの壁にビス止めする背面部の両側にロールペーパーを挟むブラケットを突設したコの字型のホルダーを本体として、ロールペーパーの回転軸を設け、上端にロールペーパーを押さえるホルダーカバーを軸支したものである。
（２）ペーパーを使用する時は、一方の手でロールから所要の長さに先端部を引き出してから、ホルダーカバーをもう一方の手でロールペーパーに押さえつけながら、ロールペーパーを固定した状態で、引き出したペーパーを上に持ち上げることによりホルダーカバーの先端縁で千切る仕組みである。
【発明の概要】
【発明が解決しようとする課題】
【０００３】  １．従来のペーパーホルダーは、ロールペーパーを押さえるホルダーカバーがあって、ロールペーパーをホルダーカバーで押さえて、もう一方の手でペーパーの任意の場所を掴んで引っ張って切断する。片手でホルダーカバーを押さえ、もう一方の手でペーパーを掴んで引っ張るので、両手を使わなければならない。又、
２．切断されたペーパーは端部がロールペーパーの外周自体に沿って密着してしまうことが多く、次に使用するとき剥がすのに手間がかかる。
３．排便直後にホルダーカバーやペーパーに触れるので不潔で不衛生である。
４．不特定多数の者が出入り使用する病院やオフィスビル等の建造物のトイレでは、多くの使用者が排便直後にホルダーカバーやペーパーに触れるので衛生管理が十分にできない。つまり、従来のペーパーホルダーは手間がかかって面倒で、しかも不衛生であるという課題がある。
本発明はこれらの課題を解決するためになされたものである。
【課題を解決するための手段】
【０００４】  切断補助板と横板があって、切断補助板の左右に横板を取り付けて組み立てたロールペーパー切断器であって、ベース又は壁に取り付けたペーパーホルダーの下方に取り付け、待機位置にあるペーパーの取出部の任意の位置を使用者が掴持して引っ張り、ペーパーを切断補助板の裏面と下面に張り付けて、さらに、切断補助板の下部で折り返し、ペーパーを切断補助板の下部後端と下部前端で屈曲して切断補助板の下面を挟むようにして手前に引き上げて、ペーパーを取出部にある切取線あるいは引っ張りに対して弱い部分で切断する。
【発明の効果】
【０００５】  本発明のロールペーパー切断器は、
（１）従来のペーパーホルダーのように、片方の手でホルダーカバーを押さえてホルダーカバーとロールでペーパーを挟んで、そして、もう一方の手で引っ張って切るのではなく、片手でペーパーを掴んで切断補助板の下端部に引き付けて引っ張るだけで、ロールペーパー切断器やペーパーホルダーなど器具に触れることなくペーパーを切り取りすることができる。
（２）ペーパーは取出部にある切取線で概ね切り取られる。切断補助板の下端部で切れることは殆んどない。してみると、ペーパーを切り取った後に残った取出部が次の掴み代として使用される。取出部は自動的に形成される。
（３）張力を紙当て部から取出部全体に分散し、張力に対して強度の弱い切取線で切り取ることができる。又、取出部に切取線が無い時は引っ張りに対して強度の弱い部分で切断される。切り取り線で千切れると切断部はキレイである。
（４）取出部と壁の間形成される空間は指を差し込むことができる。使用者は指を差し込んでペーパーを掴んで片手で手前に引き出すことができる。
（５）ペーパーは取出部にある切取線で概ね切り取られる。ロールペーパー切断器やペーパーホルダーなど器具に触れることなくペーパーを切り取りすることができる。ペーパーの切取は排便後の操作であるが、器具に触れないので清潔で衛生が保たれる。食品関係の工場ではトイレの衛生管理に優れて効果ある切取方法である。
（６）ペーパーは捩れた場所で切れてしまうことや、捻じれて切り取られることがなく、端部はきれいに切り取られる。
という効果がある。
【図面の簡単な説明】
【０００６】
【図１】本発明の第１実施例のロールペーパーホルダーの斜視構成図である。
【図２】本発明の第１実施例を示すロールペーパー切断器の斜視図である。
【図３】本発明の第１実施例でペーパーの待機位置の概略図である。
【図４】本発明の第１実施例で切断補助板の取り付け位置の概略図である。
【図５】本発明の第１実施例でペーパーの待機位置の概略図である。
【図６】本発明の第１実施例でロールペーパーの傾斜の変化の説明図である。
【図７】本発明の第１実施例でロールペーパーを固定する仕組の説明図である。
【図８】本発明の第１実施例で切断の仕組みの概略図である。
【図９】本発明の第１実施例で切断の仕組みの概略図である。
【図１０】本発明の第１実施例でロールペーパーの取付概略図である。
【図１１】本発明の第２実施例のロールペーパー切断器の斜視図である。
【図１２】本発明の第２実施例でロールペーパー切断器の斜視構成図である。
【図１３】本発明の第２実施例でロールペーパー切断器の斜視構成図である。
【図１４】本発明の第３実施例のロールペーパー切断器の斜視構成図である。
【図１５】本発明の第４実施例のロールペーパー切断器の斜視構成図である。
【図１６】本発明の第５実施例のロールペーパー切断器の斜視構成図である。
【図１７】本発明の第６実施例のロールペーパー切断器の斜視図である。
【図１８】本発明の第７実施例のロールペーパー切断器の斜視図である。
【図１９】本発明の第８実施例のロールペーパー切断器の斜視図である。
【図２０】本発明の第８実施例のロールペーパー切断器の側面図である。
【図２１】本発明の第９実施例のロールペーパー切断器の正面図である。
【図２２】本発明の第９実施例のロールペーパー切断器の側面図である。
【図２３】本発明の第９実施例のロールペーパー切断器の嵌合説明図である。
【図２４】本発明の第９実施例のロールペーパー切断器の誘導制御部の説明図である。
【図２５】本発明の第９実施例の誘導制御部のロールペーパーの説明図である。
【図２６】本発明の第１０実施例のロールペーパー切断器の斜視図である。
【図２７】本発明の第１１実施例のロールペーパー切断器の斜視図である。
【図２８】本発明の第１２実施例のロールペーパー切断器の斜視図である。
【図２９】本発明の第１３実施例のロールペーパー切断器の斜視図である。
【図３０】本発明の第１４実施例のロールペーパー切断器の斜視図ある。
【発明を実施するための形態】
【０００７】  以下本発明の実施の形態について説明する。
【第１実施例】
【０００８】  本実施例に示すロールペーパー切断器１は、刃物のような鋭く尖った刃先がなく、ペーパー１５を引っ張って切断補助板２の下面３８にペーパー１５で前後から下面３８を挟みつけるようにして端部に押しつけて、切取線１６あるいは引っ張りに対して弱い部分で切り離して切断するペーパー切断器である。
ペーパー１５の取出し部８を片手で掴んで引っ張って切断できる。器具に触らずにペーパー１５を切断することができるペーパー切断器である。
１．ロールペーパー切断器１は、図２に示すように切断補助板２の左右に横板３を取り付けたものである。
ロールペーパー切断器１をベース１０または壁５０に取り付けると切断補助板２と左右の横板３とベース１０または壁５０に囲まれた誘導制御部７が形成される。誘導制御部７はペーパー１５を保持し、ペーパー１５が上下に移動可能な空間である。
２．図３−５で示すように、
ベース１０または壁５０に取り付けたペーパーホルダー１１あって、ロールペーパー切断器１はペーパーホルダー１１の下方位置に取り付ける。
３．ペーパーホルダー１１の下方位置にロールペーパー切断器１を取り付けると切断補助板２の裏面３７は基準線２０とベース１０の間に位置される。
基準線２０は図４で示すように未使用のロールペーパー１４からペーパー１５を分枝して引きだして垂直方向下方に吊り下げた状態で分枝部１７とペーパー１５の下端を結んだ垂直線（想像線）である。
４．図８−９で示すように、ロールペーパー切断器１はペーパー１５を切断補助板２の下部で折り返して、切断補助板２下部の後端ＣＮ２と前端ＣＮ３で屈曲させて、切断補助板２下部の後端ＣＮ２と前端ＣＮ３を前後から切断補助板２の下面３８を挟みつけるようにして引っ張って取出部８にある切取線１６あるいは引っ張りに対して弱い部分でペーパー１５を切断する仕組みである。
【０００９】  本実施例に示すロールペーパー切断器１は、
図８Ｂ、図９Ｂに示すようにペーパー１５をロールペーパー１４から引き出して所要の長さになったらペーパー１５を下部後端ＣＮ２に当接して、
１．図８Ｃに示すようにペーパー１５を切断補助板２の下部後端ＣＮ２で屈曲して、さらに切断補助板２の下部前端ＣＮ３で屈曲させると、図９Ｃで示すようにペーパー１５は上部後端ＣＮ１と下部後端ＣＮ２と下部前端ＣＮ３に当接して、ペーパー１５を切断補助板２の裏面３７と下面３８に引き付けて固定するとペーパー１５を動けなくすることができる。さらに、
２．図８Ｄ、図９Ｄで示すように切断補助板２下部の後端ＣＮ２と前端ＣＮ３を前後から切断補助板２の下面３８を挟みつけるようにして引っ張ると、
３．取出し部８にある切取線１６あるいは引っ張りに対して弱い部分に引っ張る力が働いてペーパー１５が引き裂かれ切断される。
【００１０】  本実施例に示すロールペーパー切断器１は、図５、図６に示すように、
１．ロールペーパー１４の分枝部１７からペーパー１５を引き出し誘導制御部７に差入口５から挿入して引出口６から引き出すと誘導制御部７の中のペーパー１５は常に誘導制御部７の摺接面９に自然に引き寄せられて、ペーパー１５は切断補助板２の上部後端ＣＮ１から摺接面９にそって垂直下方に垂れ下がって保持される。ペーパー１５は待機位置に置かれた状態である。
２．待機位置にあるペーパー１５の取出し部８の任意の場所を掴持して誘導制御部７から引き出して、ペーパー１５を引き寄せるようにして手前に引き上げると、図９Ｃで示すようにペーパー１５を上部後端ＣＮ１と下部後端ＣＮ２と下部前端ＣＮ３に当接して切断補助板２の裏面３７と下面３８に引き付けて固定することができる。
３．この状態から、さらに引き上げると、ペーパー１５が動かないのでペーパー１５を引っ張った力（張力）は下部前端ＣＮ３を起点として取出し部８に集中して強く負荷される。
４．下部後端ＣＮ２と下部前端ＣＮ３は角部であるがペーパー１５を切断補助板２の裏面３７と下面３８に引き付けてペーパー１５を引っ張った力を拡散することができるのでここでペーパー１５が切れることを防ぐことができる。
【００１１】  本実施例に示すロールペーパー切断器１は、取出し部８にある切取線１６あるいは引っ張りに対して弱い部分でペーパー１５を切断することができる。
ペーパー１５を引っ張って、ペーパー１５が上部後端ＣＮ１と下部後端ＣＮ２と下部前端ＣＮ３に当接して切断補助板２の裏面３７と下面３８に引き付けられて固定した状態にある時、取出し部８のペーパー１５は動かないので、取出し部８にある切取線１６あるいは引っ張りに対して弱い部分に使用者Ｈが引っ張っている方向に働く力と切断補助板２下部の前端ＣＮ３の方向に働く力が生まれる。
この二つの力は切取線１６あるいは引っ張りに対して弱い部分に働いて、切取線１６あるいは引っ張りに対して弱い部分でペーパー１５は使用者Ｈが引っ張っている方向と切断補助板２下部の前端ＣＮ３の方向に反対方向に引っ張られる。引っ張る力は切取線１６あるいは引っ張りに対して弱い部分に負荷されペーパー１５は切断され切り離される。
【００１２】  一般に使われているロールペーパー１４を切断する方法は、ペーパー１５をペーパーホルダー１１のホルダーカバー１３とロールペーパー１４の間で挟んでペーパー１５を固定して引っ張って切断する方法である。ペーパー１５は挟まれた位置で切断される。この方法で切断したペーパー１５は切断部がロールに密着するので本願のロールペーパー切断器１のような取出し部８は形成されない。
本実施例に示すロールペーパー切断器１は、
１．取出し部８にある切取線１６あるいは引っ張りに対して弱い部分で、ペーパー１５はペーパー１５を引っ張っている使用者Ｈの方向と切断補助板２下部の前端ＣＮ３の方向に切取線１６あるいは引っ張りに対して弱い部分を境にして反対方向に引っ張られて、切取線１６あるいは引っ張りに対して弱い部分で切断され切り離される。
２．取出し部８は切り取って取り去る部分と切り取られずに残る部分に分かれる。そして切り取られずに残った部分は垂れ下がって保持される。とすると、切り取られずに残った部分を新しい取出し部８として利用することができる。つまり取出し部８が自動的に再生されることになる。さて、
３．新しい取出し部８の長さが不十分なときは、掴持補助空間部２１に指を入れてペーパー１５を掴んで引き出すか、ロールペーパー１４を回転して誘導制御部７から押し出すなどして、手動で取出し部８を再生することができる。
【００１３】  ペーパー１５を切断するために、ペーパー１５を引っ張ったとき、ペーパー１５が動いて不安定だと切取線１６あるいは引っ張りに対して弱い部分にペーパー１５を引っ張る力を集中することができないので切断できない。
ペーパー１５を確実に切断するには、ペーパー１５を引っ張った時、ペーパー１５が動かないようにペーパー１５を固定しなければならない。
本実施例に示すロールペーパー切断器１は、図９Ｃ−Ｄに示すように、ロールペーパー１４から引き出したペーパー１５を引っ張った時、ペーパー１５が切断補助板２の上部後端ＣＮ１と下部後端ＣＮ２と下部前端ＣＮ３の３カ所で屈曲する。すると、
ペーパー１５は切断補助板２の裏面３７と下面３８に張り付いて固定されて動きが止まる。
【００１４】  ペーパー１５を切断して切り離した時、切り離した反動でペーパー１５がうねり揺れを起こすことがある。この揺れによってロールペーパー１４からペーパー１５を引き出されることがある。すると、取出し部８のペーパー１５の長さが長くなって弛んでだらしなく垂れ下がってしまう。美観が損なわれることになるし、また、ペーパー１５が掴みづらくなる。
本実施例に示すロールペーパー切断器１は、切断されて切り離される瞬間、ペーパー１５は誘導制御部７の中で切断補助板２の摺接面９に打ち付けられる。うねりは摺接面９に打ち付けられると消滅するので揺れは起こらない。つまり、揺れはペーパー１５と摺接面９の間で生まれる摩擦で制御される。
【００１５】  本実施例に示すロールペーパー切断器１は、図９Ｃで示すように、待機位置にあるペーパー１５の取出し部８の任意の場所を掴んで引っ張ると、ペーパー１５は切断補助板２の上部後端ＣＮ１と切断補助板２の下部後端ＣＮ２と切断補助板２の下部前端ＣＮ３で屈折する。
１．ペーパー１５を引っ張ると、切断補助板２の上部後端ＣＮ１で屈折して、次に切断補助板２の下部後端ＣＮ２で屈折して切断補助板２の裏面３７に接触して、さらに切断補助板２の下部前端ＣＮ３で屈折して切断補助板２の下面３８に接触して、切断補助板２の裏面３７と下面３８に張り付けられる。
２．切断補助板２の上部後端ＣＮ１と下部後端ＣＮ２と下部前端ＣＮ３でペーパー１５は屈折するので角になる。角はペーパー１５が引っ掛かる場所であり、引っ張りに対して抵抗する場所である。
３．ペーパー１５を強く引けば引くほど、屈折している切断補助板２の上部後端ＣＮ１と切断補助板２の下部後端ＣＮ２と切断補助板２の下部前端ＣＮ３の３カ所の引っ掛りは強くなり、ペーパー１５は動けなくなって切断補助板２の裏面３７と下面３８を滑り動くことができなくなる。
４．ペーパー１５は切断補助板２の裏面３７と下面３８で保持される
【００１６】  ペーパー１５は、切断補助板２の上部後端ＣＮ１で屈折すると、分枝部１７から切断補助板２の上部後端ＣＮ１に向かって傾斜し、さらにここから切断補助板２の下部後端ＣＮ２に向かって垂下し、さらに切断補助板２の下部後端ＣＮ２で屈折すると、ここから切断補助板２の下部前端ＣＮ３に向かい、さらに切断補助板２の下部前端ＣＮ３で屈折するとここから使用者Ｈに向かって傾斜する。
切断補助板２の裏面３７と下面３８に張り付けて切断補助板２の上部後端ＣＮ１と下部前端ＣＮ３で傾斜させることで、切断補助板２の上部後端ＣＮ１と下部前端ＣＮ３でペーパー１５が切断されることを防ぐことができる。
【００１７】  本実施例に示すように、ロールペーパー切断器１は、誘導制御部７でペーパー１５をロールペーパー１４から引き出すときに起こる、ロールペーパー１４の回り過ぎによるペーパー１５の過剰な滑り出しを防ぐことができる。
１．図８Ｂで示すように、使用者Ｈは待機位置にあるペーパー１５の取出し部８の任意の場所（掴持部）を掴んで引っ張り、誘導制御部７を通してロールペーパー１４からペーパー１５を引き出す。
（１）ペーパー１５は誘導制御部７の中で摺接面９に当接あるいは近接して保持されている。ペーパー１５を引っ張ると、ペーパー１５は摺接面９に触れ摺動しながら誘導制御部７から引き出される。
（２）使用者Ｈがペーパー１５を引っ張りながら手に巻き取ると手元が揺れてペーパー１５に揺れやうねりが生まれる。これがロールペーパー１４に伝わるとロールペーパー１４が回転させられてペーパー１５が引き出されてしまう。
（３）ペーパー１５は誘導制御部７の中を揺れたりうねったりしながら通過する。この時、ペーパー１５は誘導制御部７の中で切断補助板２の摺接面９に擦り付くように打ち付けられる。揺れやうねりは摺接面９に打ち付けられるたびに弱くなり消滅する。
（４）使用者Ｈの手元で起こされた揺れやうねりは誘導制御部７で消滅するのでロールペーパー１４には伝わらない。つまり、使用者Ｈがおこす揺れやうねりがあってもロールペーパー１４には伝わらない。これによってロールペーパー１４が過剰に回転してロールペーパー１４からペーパー１５が引き出されることはなくなる。
（５）摺接面９は切断補助板２の裏面３７でペーパー１５が擦れながら通過する面で切断補助板２の裏面３７の一部である。
２．図７で示すように、ホルダーカバー１３はロールペーパー１４の上辺に当接して、ロールペーパー１４を上から押さえて、ロールペーパー１４を支持する芯２２にロールペーパー１４を押しつけてロールペーパー１４の回転を抑えることができる。
３．ロールペーパー１４の空回りを防止できないと、ペーパー１５がずるずる動いて切断できない。あるいは切断後の取出し部８がだらだらになって垂れ下がるといったことになる。ホルダーカバー１３でロールペーパー１４を上から押さえながら誘導制御部７でペーパー１５の揺れやうねりを抑えると効果的にロールペーパー１４の空回りを防ぐことができるのでロールペーパー１４の回り過ぎによる引き出し中のペーパー１５の過剰な滑り出しがなくなり、
（１）ペーパー１５を切断できない。
（２）取出し部８がだらだらになった
などの不具合を防止することができる。してみると、ホルダーカバー１３は本願のロールペーパー切断器１に機能を補助する欠かせないパーツであるといえる。
【００１８】  本実施例に示すロールペーパー切断器１を構成するパーツの機能を以下に説明する。
１．切断補助板２の機能
（１）ロールペーパー切断器１を壁やベース１０にペーパーホルダー１１の下方に位置して取り付けると、図４で示すように切断補助板２の裏面３７が基準線２０とベース１０の間に位置される。
（２）図５で示すように、ロールペーパー１４の分枝部１７から分枝して引き出されたペーパー１５は切断補助板２の上部後端ＣＮ１に当接する。
ペーパー１５はロールペーパー１４の分枝部１７から切断補助板２の上部後端ＣＮ１まで傾斜して、切断補助板２の上部後端ＣＮ１から下方に垂下する。新しいロールペーパー１４をペーパーホルダー１１にセットして、ロールペーパー切断器１を使い始めると、この後は図６で示すように徐々にロールペーパー１４が薄くなるが傾斜は維持される。
（３）図８Ｃ、図９Ｃで示すように、ペーパー１５を引っ張った時、切断補助板２の裏面３７に張り付いてペーパー１５の揺れる動きを防ぎ、あるいは
図８Ｄ、図９Ｄで示すように、ペーパー１５を切断補助板２の下部前端ＣＮ３に押し当てながら、さらに使用者Ｈに引き寄せるようにして手前に一気に引っ張った時、ペーパー１５が切断補助板２の裏面３７から下面３８に張り付いて切断補助板２の下部前端ＣＮ３や下部後端ＣＮ２など端部（角）に張力が集中し、ここで切断されことを防ぐことができる。
（４）トイレットペーパーやキッチンペーパー等々、ロールペーパーには多くの種類（材質、形状、性質、性能など）がある。種類によってペーパー１５と切断補助板２が接触し擦り合うべき摺接面９でペーパー１５が滑りやすく、ペーパー１５のスムースな切断が阻害されることがある。公知の技術を用いて滑り止め等の処理を施してこれを解消することができる。
（５）切断補助板２は摺接面９に滑り止めを貼る、あるいは表面処理を施し、あるいは摺接面９に滑りにくい材料を選んで使うなどして、摩擦を制御して張力を補強することが可能である。
２．横板３の機能
図１‐２で示すように切断補助板２の左右に取り付けて切断補助板２をベース１０や壁５０に取り付ける。横板３と切断補助板２で３方を囲んだ誘導制御部７（空間）を形成する。
３．ベース１０の機能
（１）市販のペーパーホルダーを使って、ベース１０に市販のペーパーホルダーとロールペーパー切断器１を取り付けて切断器付きのロールペーパーホルダー４０を作ることができる。
（２）市販のペーパーホルダーの中から、好みのデザインの物を選んで使用者は自分の趣味や好みにあった切断器付きのロールペーパーホルダー４０を作ることができる。
【００１９】  １．ペーパーを待機位置にセットする。
（１）ロールペーパー１４に張り付いているペーパー１５を掴んで分枝部１７から剥がし、ペーパー１５を引っ張ってロールペーパー１４から引き出す。
（２）ペーパー１５の端部を差入口５から誘導制御部７に差し込み、摺接面９に沿って下方に滑らせて、誘導制御部７を通過して引出口６から押し出す。
（３）引出口６から押し出したペーパー１５を掴んで、所要の長さになるまで引き出すと、ペーパー１５は図１に示すように待機位置に位置される。
２．待機位置にあるペーパー１５は分枝部１７から切断補助板２の上部後端ＣＮ１にかけて傾斜し、上部後端ＣＮ１から垂直下方に垂下して保持される。また、
待機位置にあるペーパー１５は自重と重力によって切断補助板２の上部後端ＣＮ１から垂直下方に垂下すると共に誘導制御部７の内で摺接面９に自然に引き寄せられて保持される。
３．ペーパーカットの手順。（操作方法）
（１）使用者Ｈは取出し部８の掴持部１９（任意の位置）を選んで、掴持補助空間部２１に指を入れてペーパー１５を掴持する。あるいは掴持部１９に指先に引っ掛けるだけでも良い。
（２）図８Ｂ、図９Ｂに示すように、ペーパー１５を手前に引き寄せながら引き出して、ペーパー１５を必要な長さに引き出したら、
（３）図８Ｃ、図９Ｃに示すように、使用者Ｈの手前斜め上に持ち上げて引っ張り、ペーパー１５を切断補助板２の下部後端ＣＮ２に押し当てて摺接面９に当接させる。（引張１）
（４）図８Ｄ、図９Ｄで示すように、さらに使用者Ｈに引き寄せて切断補助板２の下部前端ＣＮ３に押し当てて切断補助板２の下面３８に当接させる。（引張２）
（５）さらに使用者Ｈに引き寄せて切断補助板２の下部前端ＣＮ３で折り曲げる。（引張３）
（６）切断補助板２の下部前端ＣＮ３に押し当てながら、使用者Ｈに引き寄せ、さらに断補助板２の下面３８を挟みつけるようにして斜め上に引き上げる（引張４）と、ペーパー１５は取出し部８の切取線１６で切断される。
【００２０】  本実施例に示すロールペーパー切断器１は、ペーパー１５のイレギュラーな切断を防いで、イレギュラーがあっても簡単に回復できる仕組みがある。
１．ロールペーパー切断器１は誘導制御部７の中でペーパー１５が揺れたりうねったりしながら通過する。ペーパー１５は誘導制御部７の中で切断補助板２の摺接面９に擦り付くようにあるいは打ち付けられながらして通過するので、摺接面９との摩擦などの抵抗を受けて揺れやうねりは弱くなり消滅する。このようにして、ロールペーパー切断器１は使用者Ｈがペーパー１５を取り出そうとして引っ張った時に起こる揺れやうねりによるイレギュラーな切断を防ぐことができる。
２．ロールペーパー切断器１は使用者Ｈがペーパー１５を誘導制御部７から引き出す時、力のかけ具合によって、切取線１６やペーパー１５が引っ張られる力に弱い場所で千切れてしまうことがある。
（１）使用者Ｈがペーパー１５を取り出して千切ろうとして、両手に巻き付けながら誘導制御部７から引き出していると、誘導制御部７の端部で角に引っ掛かり千切れてしまう。あるいは誘導制御部７の中でペーパー１５に予期せぬ圧力がかかり千切れてしまうといったことがある。
（２）ペーパー１５はうまく千切って切断できたが、千切った時の力の掛具合が悪く残ったペーパー１５の端部が誘導制御部７の中に引っ込んでしまうことがある。
こんな時、ロールペーパー１４を回転させてペーパー１５を誘導制御部７の中に送り込めば、ペーパー１５は誘導制御部７の中を降下して引出口６から滑り出てくるので、誘導制御部７の中で千切れても簡単にリセットすることができる。
又、引出口６から指を入れることができるので、誘導制御部７に指を差し込んでペーパー１５を掴んで引き出すことも可能である。
【００２１】  本実施例に示すロールペーパー切断器１は刃物のような鋭く尖った刃先を使わずにペーパー１５を切断することができる。押して切る切断器である。
ペーパー１５に刃先を当ててその位置で切るのではなく、切断補助板２をペーパー１５に押し当てて掴持部１９と切断補助板２の下部前端ＣＮ３の間（取出し部８）に高いテンションを与えて、掴持部１９と切断補助板２の下部前端ＣＮ３の間にある切取線１６あるいは引っ張りに対して弱い部分に負荷を集中して千切って切る切断器である。
【００２２】  ペーパー１５を待機位置にセットするとペーパー１５は切断補助板２の上部後端ＣＮ１から切断補助板２の裏面３７に当接あるいは近接して垂直下方に垂れ下がって保持される。ペーパー１５は切断補助板２の上部後端ＣＮ１から切断補助板２の裏面３７に当接あるいは近接しているので、ロールペーパー切断器１を壁５０に取り付けるとペーパー１５と壁５０の間に自然に空間が確保されて掴持補助空間２１が形成される。
掴持補助空間２１を形成することで取出し部８は使用者Ｈが手を差し入れて簡単にペーパー１５を引き出せるようになる。
【００２３】  本実施例に示すロールペーパー切断器１は、図６で示すように
ペーパー１５を引き出し切断するごとに少しずつ薄くなる。
ペーパー１５が引き出されるロールペーパー１４の分枝部１７も同じように少しずつロールペーパー１４の中心に向かって移動する。さらに、
分枝部１７の移動にともなって分枝部１７から切断補助板２の上部後端ＣＮ１に向かって傾いているペーパー１５の傾斜も徐々に変化するが、傾斜はペーパー１５を使い終わるまで保持される。
【００２４】  本実施例に示すロールペーパー切断器１は、図１と図１０に示すようにペーパーホルダー１１にロールペーパー１４を前回転あるいは後回転のいずれの方向でも取り付けることができる。
【００２５】  ロールペーパー切断器１は、切断補助板２と横板３をパーツで製作して接着や嵌合など公知の技術を用いて組み立てることができる。あるいは、樹脂など高分子化合物を材料として、切断補助板２と横板３を成形加工で一体加工で作ることもできる。組立工程を省略することができる。
【００２６】  従来の技術と改善された事項
１．従来の技術
一般に使用されているトイレットペーパーホルダーは、ペーパー１５を押さえるホルダーカバー１３があって、ペーパー１５をロールペーパー１４から所要の長さに引き出して、片手でホルダーカバー１３をペーパー１５に押さえつけてホルダーカバー１３とロールペーパー１４で挟んで固定して、ペーパー１５を引っ張り上げて、ホルダーカバー１３の先端縁で千切っている。千切られた反対側の端部は押さえつけられた圧力でロールペーパー１４に密着してしまう。
２．従来の技術から改善された事項
（１）ホルダーカバー１３をペーパー１５に押さえつけて、ホルダーカバー１３とロールペーパー１４で挟んで固定する必要がなく、しかも、片手で切り取ることができる。ケガや体に障害があって両手が使えなくても、片手が使えれば良いので便利である。
（２）ペーパー１５の取出し部８の任意の場所を掴持して引っ張れば切断ができので、器具に触れなくても切断できる。衛生的である。
（３）ペーパー１５は概ね取出し部８の切取線１６で切り取られるので、ペーパー１５の切断部がキレイである。
【００２７】  本実施例に示すロールペーパー切断器１を使うと役に立つ場所がある。
一例であるが、トイレットペーパーに使用すれば、排便直後にホルダーカバー１３やペーパー１５に不潔な手で触れることが無いので衛生的である。
１．食中毒防止に細心の衛生管理が必要なホテルやレストラン。
２．日常、ウィルスなど細菌の伝染が懸念される病院。
３．不特定多数の人たちが利用する公共施設や娯楽施設。
【第２実施例】
【００２８】  本実施例に示すロールペーパー切断器１の構造
１．図１１に示すように、切断補助板２と横板３があって、切断補助板２の左右に横板３を取り付けて、これを背板４に取り付けて組み立てたものである。
２．前部の切断補助板２と左右の横板３と後部の背板４で、前後と左右を囲んで誘導制御部７を形成する。
３．ロールペーパー切断器１は、切断補助板２と横板３と背板４をパーツで製作して接着や嵌合など公知の技術を用いて組み立てることができる。あるいは、樹脂など高分子化合物を材料として、切断補助板２と横板３を成形加工で一体加工で作ることもできる。組立工程を省略し、製造コストを節約できる。
【００２９】  ペーパーホルダー１１は壁５０又はベース１０に取り付けて使用する。ロールペーパー切断器１は壁５０又はベース１０に取り付けたペーパーホルダー１１の下方位置に取り付けて使用する。壁５０やベース１０にロールペーパー切断器１を取り付ける方法は接着や嵌合など公知の技術を用いて取り付ければ良い。
【００３０】  既に壁に取り付けられたペーパーホルダー１１があって、これとロールペーパー切断器１をセットにして使いたいとき役に立つ。
【第３実施例】
【００３１】  本実施例のロールペーパー切断器１は分割式である。使用者Ｈにパーツで送り、使用者Ｈに自身で組み立ててもらうことができるので製造・販売コストを抑えることができる。
【００３２】  本実施例のロールペーパー切断器１はホルダー１２と背板４と切断補助板２を自由に組み合わせで製作可能なロールペーパー切断器１である。ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
１．図１４Ａはホルダー１２と背板４を一体にして製作した横板３と切断補助板２と二つのピースで構成するロールペーパー切断器１である。ホルダーカバー１３を横板３のカバー取付部２３に取り付けるとロールペーパーホルダー４０が完成する。
２．図１４Ｂはホルダー１２と背板４と切断補助板２を一体にして製作した横板３である。ワンピースのロールペーパー切断器１である。
ホルダーカバー１３を横板３のカバー取付部２３に取り付けるとロールペーパーホルダー４０が完成する。
３．図１４のＡ、Ｂのロールペーパー切断器１は、どちらも壁５０に取り付けて使用する。あるいは、
４．図１４のＡ、Ｂロールペーパー切断器１は、どちらもベース１０に一度取り付けてから壁５０に取り付けて使用することもできる。
５．横板３のカバー取付部２３を廃止して、ホルダーカバー１３を壁５０またはベース１０に直接取り付けても良い。
【第４実施例】
【００３３】  本実施例のロールペーパー切断器１は、図１５で示すようにペーパーホルダー１１を取り付け可能な背板４と、横板３と切断補助板２で構成し、ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
【００３４】  壁５０などから取り外したペーパーホルダー１１を本実施例のロールペーパー切断器１に一度取り付けて、改めてこれを壁５０に取り付けて使うなどして、既設のペーパーホルダー１１と組み合わせて使える便利な構造である。
１．例えば、既設のペーパーホルダー１１をそのまま取り外さずに利用すると、ロールペーパー切断器１を壁５０に取り付ける位置が限定されてしまう。しいては、取出し部８の適切な位置を確保できずペーパー１５が掴みにくいということになる。
本実施例のロールペーパー切断器１はペーパーホルダー１１を壁から取り外して、ロールペーパー切断器１に移してから壁５０に取り付けることができるので取出し部８を適切な位置に位置して取り付けることができる。
２．市販されているペーパーホルダー１１と組み合わせて使うことができる。
（１）既設のペーパーホルダー１１を再利用することができる。
（２）使用者が好みのデザインのペーパーホルダー１１を選んで使うことができる。
３．本実施例のロールペーパー切断器１は、切断補助板２と横板３と背板４のパーツを組み立てるか、合成樹脂などの高分子化合物を材料に一体構造に成形加工することができる。
【第５実施例】
【００３５】  本実施例のロールペーパー切断器１は、図１６で示すように掴持補助空間部２１を設けた背板４と横板３と切断補助板２で構成し、ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
【００３６】  背板４に指を挿入可能な形に掴持補助空間２１を設けてデザインしたものである。
１．ペーパー１５が誘導制御部７の中で予期せぬ圧力で接断されたとき、ロールペーパー切断器１の掴持補助空間２１から誘導制御部７に指を入れて、ペーパー１５を引き出すことができる。
２．背板４の厚さを調整して掴持補助空間２１を深くあるいは浅く調整することができる。
【第６実施例】
【００３７】  本実施例のロールペーパー切断器１は少なくとも２枚の長方形の切断補助板２と左右の横板３と背板４で構成し、ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
【００３８】  図１７で示すように、２枚の切断補助板２を横板３の上下に横板３に左右に架け渡して取り付けて組み立てる。
１．ロールペーパー１４からペーパー１５を引き出して、差込口５から誘導制御部７に差し込んで、引出口６から使用者Ｈが掴持可能な長さに引き出すと、
（１）差込口５から誘導制御部７に差し込まれたペーパー１５が上部に付置した切断補助板２の上部後端ＣＮ１に当接して、分枝部１７から上部に付置した切断補助板２の上部後端ＣＮ１にかけてペーパー１５は傾斜する。
（２）差込口５から誘導制御部７に差し込まれたペーパー１５は、さらに、切断補助板２の上部後端ＣＮ１から摺接面９に沿って下方に垂下して、下部に付置した切断補助板２の摺接面９に当接あるいは近接して垂下する。
（３）引出口６の下方に取出し部８を形成して、さらに
（４）取出し部８と壁の間に掴持補助空間部２１を形成する。
これでペーパー１５は待機位置にセットされる。
２．使用者Ｈがペーパー１５を引っ張るとペーパー１５は上下２枚の切断補助板２に架け渡して保持される。ペーパー１５は横板３の上部に位置する摺接面９と横板３の下部に位置する摺接面９でペーパー１５を受持され、横板３の上部に付置した切断補助板２の上部後端ＣＮ１と下部後端ＣＮ２と下部前端ＣＮ２の３カ所で屈曲する。すると、横板３の上部に位置する切断補助板２の裏面３７と横板３の下部に位置する切断補助板２の裏面３７と下面３８に張り付くので固定されるので動きを止めることができる。
３．ペーパー１５が誘導制御部７の中で予期せぬ圧力で接断されたとき、横板３に上下に位置して取り付けた切断補助板２の間から指を入れて、横板３の下方に位置して取り付けた切断補助板２の引出口６から押し出してリセットすることができる。
４．本実施例のロールペーパー切断器１は、横板３に切断補助板２を取り付けて組み立てるが、プラスチックなどの高分子化合物で切断補助板２と横板３を一体で成形しても良い。
【第７実施例】
【００３９】  本実施例のロールペーパー切断器１は、図１８で示すように少なくとも２枚の糸状又は線状の切断補助板２と左右の横板３と背板４で構成し、ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
切断補助板２は糸や紐など糸状あるいは金属線材を用いた線状の切断補助板２であって、糸状の切断補助板２には生糸などの天然繊維やナイロンなどの化学繊維で作った糸や紐を使用し、線状の切断補助板２には金属の線材を使用することができる。
【００４０】  本実施例のロールペーパー切断器１は図１８で示すように、２枚（２本）の切断補助板２を横板３の上下に横板３に左右に架け渡して取り付けて組み立てる。
１．ロールペーパー１４からペーパー１５を引き出して、差込口５から誘導制御部７に差し込んで、引出口６から使用者Ｈが掴持可能な長さに引き出すと、
（１）差込口５から誘導制御部７に差し込まれたペーパー１５が上部に付置した切断補助板２の上部後端ＣＮ１に当接して、分枝部１７から上部に付置した切断補助板２の上部後端ＣＮ１にかけてペーパー１５は傾斜する。
（２）差込口５から誘導制御部７に差し込まれたペーパー１５は、さらに、切断補助板２の上部後端ＣＮ１から摺接面９に沿って下方に垂下して、下部に付置した切断補助板２の摺接面９に当接あるいは近接して垂下する。
（３）引出口６の下方に取出し部８を形成して、さらに
（４）取出し部８と壁の間に掴持補助空間部２１を形成する。
これでペーパー１５は待機位置にセットされる。
２．使用者Ｈがペーパー１５を引っ張るとペーパー１５は上下２枚の切断補助板２に架け渡して保持される。ペーパー１５は横板３の上部に位置する摺接面９と横板３の下部に位置する摺接面９でペーパー１５を受持され、横板３の上部に付置した切断補助板２の上部後端ＣＮ１と下部後端ＣＮ２と下部前端ＣＮ２の３カ所で屈曲する。すると、横板３の上部に位置する切断補助板２の裏面３７と横板３の下部に位置する切断補助板２の裏面３７と下面３８に張り付くので固定されるので動きを止めることができる。
３．糸を用いた糸状あるいは金属線を用いた線状の摺接面９はペーパー１５と当接あるいは当接可能な位置にあって直線状である。摺接面９は平面でなくても良い。
４．ペーパー１５が誘導制御部７の中で予期せぬ圧力で接断されたとき、横板３に上下に位置して取り付けた切断補助板２の間から指を入れて、横板３の下方に位置して取り付けた切断補助板２の引出口６から押し出してリセットすることができる。
５．本願のロールペーパー切断器１は切断補助板２の上部後端ＣＮ１からペーパーロール１４の分枝部に斜め上方に引っ張って、切断補助板２の下部前端ＣＮ２から使用者Ｈの手前から斜め上方に引っ張って、切断補助板２の裏面３７と下面３８に張り付けることでペーパー１５を固定して切断を可能とする仕組みである。したがって図１８で示すように、２枚（２本）の切断補助板２であってもペーパー１５を切断することができる。
【第８実施例】
【００４１】  本実施例のロールペーパー切断器１は、図１９で示すように、上下回転可能な切断補助板２と軸受部２５を有する横板３とフック２６を有する横板３と背板４で構成し、ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
【００４２】  本願のロールペーパー切断器１は切断補助板２と横板３と背板４と４種類のパーツがある。４種類のパーツをそれぞれ製作して組み立てる方法や、４種類のパーツを組み合わせて成形していくつかのパーツにまとめて組み立てる方法がある。
本実施例のロールペーパー切断器１は軸受部２５を有する横板３と、フック２６を有する横板３と、背板４と、回転軸２４を有する切断補助板２の４種類のパーツを組み立てたものである。他に、軸受部２５を有する横板３を上位置に位置して、フック２６を有する横板３を下位置に位置して背板４と一体に、例えばプラスチック等の高分子化合物を材料に成形したものと回転軸２４を有する切断補助板２と２つのパーツにまとめて組み立ても良い。切断補助板２は上下方向に回転可能で、かつ脱着が可能な構造である。また、図示しないが、回転のみで脱着できない構造、あるいは脱着のみで回転できない構造にデザインすることもできる。
１．切断補助板２の回転について
背板４の軸受部２５に切断補助板２の回転軸２４を取り付けて、背板４のフック２６に切断補助板２の下端を引掛けると図２０で明らかなように、回転軸２４を軸に切断補助板２を背板４に回転可能に取り付けることができる。
ペーパー１５を誘導制御部７から引き出している時、ペーパー１５に予期せぬ圧力が加わって誘導制御部７の中で千切れてしまった、あるいは、ペーパー１５はうまく切断できたが千切った時の力の掛具合が悪く残ったペーパー１５の端部が誘導制御部７の中に引っ込んでしまうといったトラブルが起きた時、切断補助板２を回転して誘導制御部７を開き誘導制御部７の中に千切れて残っているペーパー１５を引き出してリセットする事ができる。
２．切断補助板２の脱着について
背板４の軸受部２５に切断補助板２の回転軸２４を取り付けて、背板４のフック２６に切断補助板２の下端を引掛けると図２０で明らかなように切断補助板２を背板４に脱着可能に取り付けることができる。ペーパーホルダー１１に新しいペーパー１５をセットする時、切断補助板２を取り外して簡単にセットすることができる。
３．差入口５と切断補助板２のデザインについて
図２０で明らかなように、切断補助板２は上部端面が曲面である。差入口５は曲面で上の方が広くなっているのでペーパー１５を誘導制御部７に差し入れる時、ペーパー１５を誘導制御部７に差し入れやすく、さらに曲面に沿ってペーパー１５を誘導するので誘導制御部７の中にスムースに送り込むことができる。
【第９実施例】
【００４３】  本実施例のロールペーパー切断器１は、図２１−２３で示すように横板３と一体で回転軸２４と凹部３０を有する切断補助板２と、横板３と一体で軸受部２５と凸部２９を有する背板４で構成し、切断補助板２の凹部３０と背板４の凸部２９を嵌合し、切断補助板２の回転軸２４を背板４の軸受部２５に取り付けて組み立てて誘導制御部７を形成する。ペーパー１５を誘導制御部７に通して引き出して、ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
【００４４】  本実施例のロールペーパー切断器１は、切断補助板２を回転して誘導制御部７を開閉して、切断補助板２の凹部３０と背板４の凸部２９を嵌合して誘導制御部７を固定することができる。
【００４５】  本実施例のロールペーパー切断器１は、切断補助板２や背板４に、図２４で示すように、ペーパー１５の両端を撥ね上げて緩やかな曲断面を形成可能なハネ部３１や、ハネ部３１で撥ね上げられたペーパー１５の両端を丸めることが可能な曲面３２を加えることができる。
ペーパー１５を掴持して、引出口６から引き出すと、ペーパー１５は両端がハネ部３１に当接して、図２４Ａ、図２５Ａで示すようにペーパー１５の両端が持ち上がり、さらに引き出すと、両端を曲面３２に当接して、図２４Ｂ、図２５Ｂで示すようにペーパー１５の両端が丸まり、ハネ部３１が跳ね上がって保持される。この撥ね上がりはペーパー１５を切断後の取出し部８に保持されるので、使用者Ｈがペーパー１５を次に引き出す時、この跳ね上がった端部を掴んで引き出すことができる。
【００４６】  切断補助板２を回転させる仕組みに、例えば回転軸２４の代わりに蝶番を使用し、嵌合部２８にはマグネットやベロクロテープなどを使用するなど公知の技術を用いることもできる。
【第１０実施例】
【００４７】  本実施例のロールペーパー切断器１は、図２６で示すように、横板３と一体で回転軸２４と凹部３０を有する切断補助板２と、横板３と一体で軸受部２５と凸部２９と押出部３３を有する背板４で構成し、切断補助板２の凹部３０と背板４の凸部２９を嵌合して、さらに切断補助板２の回転軸２４を背板４の軸受部２５に取り付けて組み立てて誘導制御部７を形成する。ペーパー１５を誘導制御部７に通して引き出して、ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
【００４８】  本実施例のロールペーパー切断器１の背板４に押出部３３があって、押出部３３はペーパー１５を摺接面９に向かって押し出すことができる。押出部３３は摺接面９に対して前後方向に長さ（厚み）を変えると押出部３３の高さを変えることができる。してみると、押出部３３の高さを変えるとペーパー１５と摺接面９の間の間隔つまり距離を調整することができる。
１．ペーパー１５と摺接面９の間の距離を制御して、ロールペーパー切断器１の誘導制御部７の下方に垂れ下がっている取出し部８と壁の間の掴持補助空間部２１を広くあるいは狭くして制御することができる。
２．図２６Ａの押出部３３は断面が逆鍋底型で、図２６Ｂの押出部３３は断面が櫛の歯型である。図示しないが、押出部３３はペーパー１５と摺接面９の間の距離を制御することができれば良いので、押出部３３の形は方形やドーム型など自由にデザインすることができる。
【第１１実施例】
【００４９】  本実施例のロールペーパー切断器１は、図２７Ａで示すように、左右両端に凸部２９を設けた切断補助板２と、凹部３０を設けた横板３と、背板４で構成する切断補助板２が脱着可能なロールペーパー切断器１である。ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
１．背板４と横板３を一体に成形して切断補助板２と組み立てるか、又は、背板４と横板３と背板４をそれぞれ製作して、背板４の両端に横板３を位置して取り付けて、横板３を取り付けた背板４を切断補助板２に組み付けて組み立てることができる。
２．組み立ては接着、凸凹嵌合など公知の技術を用いることでできる。
３．図２７Ａで示すように、切断補助板２の凸部２９を背板４に取り付けた横板３の凹部３０に挿入して嵌合し固定すると誘導制御部７を形成する。
４．図２７Ｂで示すように、切断補助板２は使用者Ｈが引っ張って取り外すことができる。何度でも取り付け取り外しが可能である。
【００５０】ペーパー１５を誘導制御部７から引き出している時、ペーパー１５に予期せぬ圧力が加わって誘導制御部７の中で千切れてしまった、あるいは、ペーパー１５はうまく切断できたが千切った時の力の掛具合が悪く残ったペーパー１５の端部が誘導制御部７の中に引っ込んでしまうといったトラブルが起きた時、切断補助板２を取り外して誘導制御部７を開き誘導制御部７の中に千切れて残っているペーパー１５を引き出してリセットする事ができる。
【第１２実施例】
【００５１】  横板３に上下に２枚の切断補助板２を取り付けて２か所の摺接面９を有するロールペーパー切断器１である。ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
【００５２】  図２８に示すロールペーパー切断器１は、使用者Ｈがペーパー１５を引っ張り、上下２か所の摺接面９にペーパー１５を引き付けて、上部の切断補助板２と下部の切断補助板２に架け渡すと、上部の切断補助板２と下部の切断補助板２の摺接面９で受持される。使用者Ｈがペーパー１５を引っ張るとペーパー１５は上下２枚の切断補助板２に架け渡して保持される。ペーパー１５は横板３の上部に位置する摺接面９と横板３の下部に位置する摺接面９でペーパー１５を受持され、横板３の上部に付置した切断補助板２の上部後端ＣＮ１と下部後端ＣＮ２と下部前端ＣＮ２の３カ所で屈曲する。すると、横板３の上部に位置する切断補助板２の裏面３７と横板３の下部に位置する切断補助板２の裏面３７と下面３８に張り付くので固定されるので動きを止めることができる。
【第１３実施例】
【００５３】  本実施例のロールペーパー切断器１は図２９に示すように複数の切断補助板２を有するロールペーパー切断器１である。ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
横板３に上下に少なくとも２枚の切断補助板２を取り付けて少なくとも２か所の摺接面９を有するロールペーパー切断器１である。ペーパー１５を切断補助板２の下部で折り返して、さらに切断補助板２下部の後端ＣＮ２と前端ＣＮ３で屈曲させて切断補助板２の下面３８を挟みつけるようにして引っ張ってペーパー１５を取出部にある切取線１６あるいは引っ張りに対して弱い部分で切断する。
【００５４】  本実施例のロールペーパー切断器１は切断補助板２や横板３、背板４をパーツで製作して、接着や嵌合など公知の技術を用いて組み立てることができる。あるいは４種類のパーツを組み合わせて成形していくつかのパーツにまとめて組み立てることができる。
【００５５】  待機位置にあるペーパーは、横板３の最上位置にある切断補助板２と最下位置にある切断補助板２まで複数の切断補助板２を挟んで架け渡しになって保持されている。
１．ペーパー１５を引っ張ると、横板３の最上位置にある切断補助板２の摺接面９と横板３の最下位置にある切断補助板２の摺接面９に引きつけられる。
ペーパー１５は最上位置にある切断補助板２と最下位置にある切断補助板２の摺接面９に当接して張り付いて固定される。
ペーパー１５が固定されると最上位置にある切断補助板２と最下位置にある切断補助板２の間にあるその他の切断補助板２に当接あるいは近接して保持される。
２．ペーパー１５を切断して切り離した時、切り離した反動で誘導制御部７の内のペーパー１５がうねり揺れを起こすことがある。
うねりや揺れを制御できないと、ペーパー１５を引きちぎった余勢でペーパーホルダー１１が回転しペーパー１５が引き出されあるいはペーパー１５の緊張が失われて切断できなくなる。しかし、ペーパー１５がうねり揺れても、上位置にある切断補助板２の摺接面９や下位置にある切断補助板２の摺接面９に当接してしなりは消滅するので、ペーパーホルダー１１の空転を防いで緊張も維持できる。ペーパー１５を切断することができる。切断補助板２が一枚でかつ平面である必要はない。
３．使用者Ｈがペーパー１５を切断するためにペーパー１５を引っ張った時、ペーパー１５を緊張させることができれば良く、誘導制御部７の上部にある切断補助板２と誘導制御部７の下部にある切断補助板２に架け渡して支持して引っ張ればペーパー１５に緊張する。
【００５６】  図示しないが、図２９Ｂのデザインを基本に、横板３の最上位置にある切断補助板２と最下位置にある切断補助板２の間に平板の切断補助板２を取り付けても良い。簡便な脱着のために平板の切断補助板２をマグネットやベロクロテープを使って取り付けても良い。
【００５７】  本願のロールペーパー切断器１は切断補助板２の上部後端ＣＮ１からペーパーロール１４の分枝部に斜め上方に引っ張って、切断補助板２の下部前端ＣＮ２から使用者Ｈの手前から斜め上方に引っ張って、切断補助板２の裏面３７と下面３８に張り付けることでペーパー１５を固定して切断を可能とする仕組みである。したがって図２９で示すように切断補助板２が複数枚あっても、図示しないが最上位置にある切断補助板２と最下位置にある切断補助板２の間に平板の切断補助板２を取り付けてもペーパー１５を固定して切断することができる。
【第１４実施例】
【００５８】  表面をパンチング加工あるいは網の目加工した切断補助板２を使い製作するロールペーパー切断器１である。
（１）図３０Ａは、パンチング加工を施した切断補助板２で、図３０Ｂは網の目加工を施した切断補助板２である。
（２）パンチングの穴の形は円形や三角形、四角形など自由に選ぶことができる。
【符号の説明】
【００５９】１  ロールペーパー切断器
２  切断補助板
３  横板
４  背板
５  差入口
６  引出口
７  誘導制御部（空間）
８  取出部（掴み代）
９  摺接面
１０  ベース（壁など）
１１  ペーパーホルダー
１２  ホルダー
１３  ホルダーカバー
１４  ロールペーパー
１５  ペーパー
１６  切取線
１７  分枝部
１９  掴持部
２０  基準線
２１  掴持補助空間部
２２  芯（ロール）
２３  カバー取付部
２４  回転軸
２５  軸受部
２６  フック
２７  引入れ補助曲面
２８  嵌合部（ロック部）
２９  嵌合凸部
３０  嵌合凹部
３１  ハネ上げ部
３２  ハネ返し部（曲面）
３３  押出部
３４  脱着部
３５  取付部
３６  接着部材
３７  裏面
３８  下面
４０  ロールペーパーホルダー
５０  壁
Ｈ  使用者
ＣＮ１  後端
ＣＮ２  後端
ＣＮ３  前端
【図１】
2020168339.tif 000003
【図２】
2020168339.tif 000004
【図３】
2020168339.tif 000005
【図４】
2020168339.tif 000006
【図５】
2020168339.tif 000007
【図６】
2020168339.tif 000008
【図７】
2020168339.tif 000009
【図８】
2020168339.tif 000010
【図９】
2020168339.tif 000011
【図１０】
2020168339.tif 000012
【図１１】
2020168339.tif 000013
【図１２】
2020168339.tif 000014
【図１３】
2020168339.tif 000015
【図１４】
2020168339.tif 000016
【図１５】
2020168339.tif 000017
【図１６】
2020168339.tif 000018
【図１７】
2020168339.tif 000019
【図１８】
2020168339.tif 000020
【図１９】
2020168339.tif 000021
【図２０】
2020168339.tif 000022
【図２１】
2020168339.tif 000023
【図２２】
2020168339.tif 000024
【図２３】
2020168339.tif 000025
【図２４】
2020168339.tif 000026
【図２５】
2020168339.tif 000027
【図２６】
2020168339.tif 000028
【図２７】
2020168339.tif 000029
【図２８】
2020168339.tif 000030
【図２９】
2020168339.tif 000031
【図３０】
2020168339.tif 000032